(57)【要約】【課題】大きな上下振動が発生せず、崩れにくい強固な畦を形成できる畦塗り機を提供する。【解決手段】畦塗り機１は、盛土体と、この盛土体の後方に位置する畦形成体４とを備える。畦形成体４は、回転中心軸線Ｘを中心として回転しながら盛土を締め固めて畦側面を形成する畦側面形成体24を備える。畦形成体４は、回転中心軸線Ｘを中心として回転しながら盛土を締め固めて畦上面を形成する畦上面形成体25を備える。畦側面形成体24は複数の側面形成板部32を有し、互いに隣り合う側面形成板部32間には側面側段差部34がある。畦上面形成体25は複数の上面形成板部42を有し、互いに隣り合う上面形成板部42間には上面側段差部44がある。側面側段差部34の位置と上面側段差部44の位置とが回転方向ａに関してずれている。【選択図】図２
2009118746.tif 000002
【特許請求の範囲】
【請求項１】
土を盛り上げる盛土体と、
回転中心軸線を中心として回転しながら前記盛土体による盛土を締め固めて傾斜面状の畦側面を形成する畦側面形成体と、
前記回転中心軸線を中心として回転しながら前記盛土体による盛土を締め固めて水平面状の畦上面を形成する畦上面形成体とを備え、
前記畦側面形成体は、回転方向に並んで位置し盛土を回転方向後側で押し込んで締め固める複数の側面形成板部を有し、
前記畦上面形成体は、回転方向に並んで位置し盛土を回転方向後側で押し込んで締め固める複数の上面形成板部を有し、
回転方向に互いに隣り合う前記側面形成板部間には、側面側段差部が形成され、
回転方向に互いに隣り合う前記上面形成板部間には、上面側段差部が形成され、
前記側面側段差部の位置と前記上面側段差部の位置とが回転方向に関してずれている
ことを特徴とする畦塗り機。
【請求項２】
畦側面形成体は略円錐台状であり、この畦側面形成体の各側面形成板部が略扇形状に形成され、
畦上面形成体は略円柱状であり、この畦上面形成体の各上面形成板部が略矩形状に形成されている
ことを特徴とする請求項１記載の畦塗り機。
【請求項３】
側面視で上面側段差部が側面形成板部の回転方向略中央を通る直線上に位置するように、側面側段差部の位置と上面側段差部の位置とが回転方向に関してずれている
ことを特徴とする請求項２記載の畦塗り機。
【請求項４】
側面視で側面側段差部に沿った直線が回転中心軸線と交わらない構成になっている
ことを特徴とする請求項１ないし３のいずれか一記載の畦塗り機。
【発明の詳細な説明】
【技術分野】
【０００１】
本発明は、大きな上下振動が発生せず、崩れにくい強固な畦を形成できる畦塗り機に関するものである。
【背景技術】
【０００２】
従来、例えば下記の特許文献１に記載された畦塗り機が知られている。
【０００３】
この従来の畦塗り機は、土を盛り上げる盛土体と、回転中心軸線を中心として回転しながら盛土を締め固めて傾斜面状の畦側面を形成する略円錐台状の畦側面形成体と、回転中心軸線を中心として回転しながら盛土を締め固めて水平面状の畦上面を形成する略円柱状の畦上面形成体とを備えている。
【０００４】
畦側面形成体は、回転方向に並んで位置し盛土を回転方向後側で押し込んで締め固める複数の側面形成板部を有している。畦上面形成体は、回転方向に並んで位置し盛土を回転方向後側で押し込んで締め固める複数の上面形成板部を有している。
【０００５】
そして、回転方向に互いに隣り合う側面形成板部間には側面側段差部が形成され、回転方向に互いに隣り合う上面形成板部間には上面側段差部が形成され、これら側面側段差部の位置と上面側段差部の位置とが回転方向に関して一致している。
【特許文献１】特開２０００−３７１０６号公報
【発明の開示】
【発明が解決しようとする課題】
【０００６】
しかしながら、上記従来の畦塗り機では、側面側段差部の位置と上面側段差部の位置とが回転方向に関して一致しているため、大きな上下振動が発生し、崩れにくい強固な畦が形成されないおそれがある。
【０００７】
本発明は、このような点に鑑みなされたもので、大きな上下振動が発生せず、崩れにくい強固な畦を形成できる畦塗り機を提供することを目的とする。
【課題を解決するための手段】
【０００８】
請求項１記載の畦塗り機は、土を盛り上げる盛土体と、回転中心軸線を中心として回転しながら前記盛土体による盛土を締め固めて傾斜面状の畦側面を形成する畦側面形成体と、前記回転中心軸線を中心として回転しながら前記盛土体による盛土を締め固めて水平面状の畦上面を形成する畦上面形成体とを備え、前記畦側面形成体は、回転方向に並んで位置し盛土を回転方向後側で押し込んで締め固める複数の側面形成板部を有し、前記畦上面形成体は、回転方向に並んで位置し盛土を回転方向後側で押し込んで締め固める複数の上面形成板部を有し、回転方向に互いに隣り合う前記側面形成板部間には、側面側段差部が形成され、回転方向に互いに隣り合う前記上面形成板部間には、上面側段差部が形成され、前記側面側段差部の位置と前記上面側段差部の位置とが回転方向に関してずれているものである。
【０００９】
請求項２記載の畦塗り機は、請求項１記載の畦塗り機において、畦側面形成体は略円錐台状であり、この畦側面形成体の各側面形成板部が略扇形状に形成され、畦上面形成体は略円柱状であり、この畦上面形成体の各上面形成板部が略矩形状に形成されているものである。
【００１０】
請求項３記載の畦塗り機は、請求項２記載の畦塗り機において、側面視で上面側段差部が側面形成板部の回転方向略中央を通る直線上に位置するように、側面側段差部の位置と上面側段差部の位置とが回転方向に関してずれているものである。
【００１１】
請求項４記載の畦塗り機は、請求項１ないし３のいずれか一記載の畦塗り機において、側面視で側面側段差部に沿った直線が回転中心軸線と交わらない構成になっているものである。
【発明の効果】
【００１２】
本発明によれば、回転方向に互いに隣り合う側面形成板部間には側面側段差部が形成され、回転方向に互いに隣り合う上面形成板部間には上面側段差部が形成され、側面側段差部の位置と上面側段差部の位置とが回転方向に関してずれているため、大きな上下振動が発生せず、崩れにくい強固な畦を形成できる。
【発明を実施するための最良の形態】
【００１３】
本発明の畦塗り機の一実施の形態を図１ないし図４を参照して説明する。
【００１４】
図１において、１は畦塗り機で、この畦塗り機１は、走行車であるトラクタ（図示せず）の後部に連結されて使用されるものである。
【００１５】
畦塗り機１は、トラクタの後部の３点リンク（作業機昇降支持装置）に連結された機体２と、機体２の一側前部に回転可能に設けられ田面および元畦の土を耕耘して元畦の畦側面および畦上面に盛り上げる盛土体３と、機体２の一側後部に回転可能に設けられ盛土体３の後方で左右水平方向の回転中心軸線Ｘを中心として回転しながら盛土体３による盛土を締め固めて新たな畦（新畦）Ａを形成する畦形成体４と、盛土体３の前方で元畦の畦上面を削る回転可能な上面削り体５とを備えている。
【００１６】
機体２は、トラクタの後部の３点リンクに連結された固定機枠７を有している。固定機枠７には水平回動可能な回動アーム８の一端部が回動可能に取り付けられ、この回動アーム８の他端部には可動機枠９が回動可能に取り付けられている。そして、可動機枠９に、盛土体３、畦形成体４および上面削り体５がそれぞれ回転可能に設けられ、この可動機枠９にて盛土体３、畦形成体４および上面削り体５が支持されている。
【００１７】
固定機枠７は、軸保持部10を有し、この軸保持部10には略前後方向の入力軸11が回転可能に設けられ、この入力軸11はトラクタのＰＴＯ軸にジョイントおよび伝動シャフト等を介して接続されている。可動機枠９は、チェーンケース等の伝動ケースを兼ねたものであり、この可動機枠９は軸保持部12を有し、この軸保持部12には中間入力軸13が回転可能に設けられ、この中間入力軸13は入力軸11にジョイントおよび伝動シャフト等を介して接続されている。
【００１８】
盛土体３は、可動機枠９にて回転可能に軸支された前後水平方向の回転軸21と、回転軸21の爪ホルダ21aに脱着可能に取り付けられこの回転軸21と一体となって回転しながら田面および元畦の土を耕耘して元畦の畦側面および畦上面に盛り上げる複数の盛土爪22とを有している。複数の盛土爪22の上方部は図示しないカバー体にて覆われ、このカバー体にて耕耘土が畦側面および畦上面に案内される。盛土体３の回転軸21は、中間入力軸13側からの動力で所定方向に駆動回転する。
【００１９】
畦形成体４は、可動機枠９にて回転可能に軸支され中間入力軸13側からの動力で所定方向である回転方向ａに駆動回転する左右水平方向の回転軸23と、回転軸23と一体となって回転中心軸線Ｘを中心として回転方向ａに回転しながら盛土体３による盛土を締め固めて田面側に向って下り傾斜面状の畦側面Ｂを形成する略円錐台状の畦側面形成体24と、畦側面形成体24の縮径側端部に設けられ回転軸23と一体となって回転中心軸線Ｘを中心として回転方向ａに回転しながら盛土体３による盛土を締め固めて水平面状の畦上面Ｃを形成する略円柱状の畦上面形成体25とを備えている。
【００２０】
なお、畦形成体４の周速は、この畦形成体４が畦面に対してスリップ状態で回転するようにトラクタの走行速度より速い値に設定される。
【００２１】
ここで、畦側面形成体（ディスク部）24は、図２ないし図４に示すように、田面側に向って拡径する略円錐台状のベース部31を有し、このベース部31の外周面側には、回転方向ａに並んで位置し盛土を回転方向後側で押し込んで締め固めて畦側面Ｂを形成する同一形状の複数（例えば８つ）の側面形成板部32がベース部31の外周面に略沿うにように設けられている。
【００２２】
各側面形成板部32は、いずれも、外面側が凸となるようにやや湾曲した曲面状で略扇形状に形成され、回転中心軸線Ｘを中心として放射状に配置されている。各側面形成板部32は、回転中心軸線Ｘからの距離が回転方向前端側から回転方向後端側に向って徐々に増大するように配置されている。すなわち、各側面形成板部32は、回転方向後端ほどベース部31の截頭円錐面状の外周面（仮想截頭円錐面）からの距離が大きくなるように傾斜状に配置されている。各側面形成板部32の回転方向後側外面にて、盛土を押し込む作用面33が構成されている。
【００２３】
また、回転方向ａに互いに隣り合う側面形成板部32間には側面側段差部34が形成され、各側面側段差部34は、図３に示されるように、回転中心軸線Ｘを中心とする仮想円の径方向に沿って位置する。また、互いに隣り合う側面形成板部32は、一方の側面形成板部32の回転方向後端部と他方の側面形成板部32の回転方向前端部とが側面側段差部34を介して互いに対向した状態になっている。
【００２４】
なお、側面形成板部32は、例えばステンレス等の金属板、或いは合成樹脂板等にて形成されている。また、側面形成板部32は、弾性変形せず側面側段差部34がそのまま維持される構成でもよく、土との接触により弾性変形して側面側段差部34が小さくなる構成でもよい。
【００２５】
畦上面形成体（上面ローラ部）25は、略円柱状のベース部41を有し、このベース部41は、畦側面形成体24のベース部31の縮径側端部から反田面側に向って突出している。このベース部41の外周面側には、回転方向ａに並んで位置し盛土を回転方向後側で押し込んで締め固めて畦上面Ｃを形成する同一形状の複数（例えば８つ）の上面形成板部42がベース部41の外周面に略沿うにように設けられている。
【００２６】
各上面形成板部42は、いずれも、外面側が凸となるようにやや湾曲した曲面状で略矩形状に形成されている。つまり、各上面形成板部42は、ベース部41の軸方向に長手方向を有する略矩形状で、その長手方向の長さ寸法がベース部41の軸方向の長さ寸法と略同じである。また、各上面形成板部42は、回転中心軸線Ｘからの距離が回転方向前端側から回転方向後端側に向って徐々に増大するように配置されている。すなわち、各上面形成板部42は、回転方向後端ほどベース部41の円筒面状の外周面（仮想円筒面）からの距離が大きくなるように傾斜状に配置されている。各上面形成板部42の回転方向後側外面にて、盛土を押し込む作用面43が構成されている。
【００２７】
また、回転方向ａに互いに隣り合う上面形成板部42間には上面側段差部44が形成され、各上面側段差部44は、図４に示されるようにベース部41の軸方向つまり回転中心軸線Ｘに沿って位置する。すなわち、互いに隣り合う上面形成板部42は、一方の上面形成板部42の回転方向後端部と他方の上面形成板部42の回転方向前端部とが上面側段差部44を介して互いに対向した状態になっており、他方の上面形成板部42の回転方向前端部外面が一方の上面形成板部42の回転方向後端部にて覆われている。
【００２８】
なお、上面形成板部42は、例えばステンレス等の金属板、或いは合成樹脂板等にて形成されている。また、上面形成板部42は、弾性変形せず上面側段差部がそのまま維持される構成でもよく、土との接触により弾性変形して上面側段差部44が小さくなる構成でもよい。
【００２９】
そして、図２ないし図４から明らかなように、側面側段差部34の位置と上面側段差部44の位置とが回転方向ａに関してずれている。すなわち、側面側段差部34と上面側段差部44との位相がずれており、図３に示されるように側面視で上面側段差部44の位置が側面側段差部34の位置に対して回転方向ａに関して所定角度αずれており、図４に示されるように正面視で上面側段差部44が側面側段差部34の延長線Ｌ上に位置せず、上面側段差部44の位置が側面側段差部34の位置に対して回転方向ａに関して所定量βずれている。
【００３０】
例えば図３から明らかなように、側面視で上面側段差部44が側面形成板部32の回転方向略中央を通る直線（側面形成板部32を略２等分する直線ｂ上に上面側段差部44が位置するように、側面側段差部34の位置と上面側段差部44の位置とが回転方向ａに関してずれている。また、畦塗り機１は、図３に示されるように、側面視で側面側段差部34に沿った直線ｃが回転中心軸線Ｘと交わる構成になっており、かつ側面視で側面側段差部34に沿った直線ｃが上面側段差部44上を通らない構成になっている。
【００３１】
次に、上記畦塗り機１の作用等を説明する。
【００３２】
トラクタの後部の３点リンクに畦塗り機１を連結してトラクタを走行させると、畦塗り機１はトラクタとともに進行方向前方に向って移動し、盛土体３、畦形成体４および上面削り体５がそれぞれ駆動回転する。
【００３３】
そして、盛土体３にて土が元畦の畦側面および畦上面に盛り上げられ、回転中心軸線Ｘを中心として回転方向ａにスリップ回転する畦側面形成体24にて土が側面側段差部34による叩き作用により締め固められて傾斜面状の畦側面Ｂが形成され、回転中心軸線Ｘを中心として回転方向ａにスリップ回転する畦上面形成体25にて土が上面側段差部44による叩き作用により締め固められて畦上面Ｃが形成される。
【００３４】
すなわち、複数の側面形成板部32の作用面33にて盛土が叩かれるようにして締め固められて畦側面Ｂが形成され、複数の上面形成板部42の作用面43にて盛土が叩かれるようにして締め固められて畦上面Ｃが形成される。
【００３５】
そして、この畦塗り機１によれば、回転方向ａに互いに隣り合う側面形成板部32間には側面側段差部34が形成され、回転方向ａに互いに隣り合う上面形成板部42間には上面側段差部44が形成され、側面側段差部34の位置と上面側段差部44の位置とが回転方向ａに関してずれているため、畦形成体４に大きな上下振動が発生せず、畦上面に亀裂や凹凸等ができるのを防止でき、崩れにくい強固な畦Ａを得ることができる。
【００３６】
なお、上面形成板部42の回転方向後端部が自由端部で、この自由端部が隣の上面形成板部42の回転方向前端部から離れて位置する構成には限定されず、例えば図５および図６に示すように、上面形成板部42の回転方向後端部が折り曲げられ、この折曲部50が隣の上面形成板部42の回転方向前端部に溶接等により連結固定された構成でもよく、この構成では折曲部50にて上面側段差部44が形成される。
【００３７】
また、複数枚の板部材（分割板）をベース部41にそれぞれ取り付けて複数の上面形成板部42を形成する構成には限定されず、例えば図７および図８に示すように、一体成型した所望形状の１つの筒状部材（一体成型筒）51をベース部41の外周面側に嵌着して複数の上面形成板部42を形成する構成でもよい。
【００３８】
さらに、側面形成板部32の数と上面形成板部42の数とが同数（６、８、１２等）である必要はなく、異なっていてもよく、例えば図９に示すように、側面形成板部32の数が８で、上面形成板部42の数がその半分の４でもよい。
【００３９】
また、例えば図示しないが、畦形成体４を鼓形状にして回転軸23を傾斜させた構成、つまり畦側面形成体24および畦上面形成体25をいずれも略円錐台状に形成しこれら畦側面形成体24および畦上面形成体25を支持する回転軸23を田面側に向って下り傾斜するように傾斜させた構成等でもよい。
【００４０】
また一方、上記各実施の形態では、側面視で側面側段差部34に沿った直線ｃが畦形成体４の回転中心である回転中心軸線Ｘと交わる構成になっているものについて説明したが、例えば図１０および図１１に示すように、側面視で側面側段差部34に沿った直線ｃが回転中心軸線Ｘと交わない構成であってもよい。
【００４１】
そして、図１０および図１１に示す構成でも、図３等に示す構成と同様、側面側段差部34の位置と上面側段差部44の位置とが回転方向ａに関してずれ、側面視で側面側段差部34に沿った直線ｃが上面側段差部44上を通らない構成になっているため、畦形成体４に大きな上下振動が発生せず、畦上面に亀裂や凹凸等ができるのを防止でき、崩れにくい強固な畦Ａを得ることができる。
【図面の簡単な説明】
【００４２】
【図１】本発明の一実施の形態に係る畦塗り機の概略平面図である。
【図２】同上畦塗り機の畦形成体の斜視図である。
【図３】同上畦形成体の側面図である。
【図４】同上畦形成体の正面図である。
【図５】本発明の他の実施の形態に係る畦塗り機の畦形成体の斜視図である。
【図６】同上畦形成体の側面図である。
【図７】本発明のさらに他の実施の形態に係る畦塗り機の畦形成体の斜視図である。
【図８】同上畦形成体の側面図である。
【図９】本発明のさらに他の実施の形態に係る畦塗り機の畦形成体の側面図である。
【図１０】本発明のさらに他の実施の形態に係る畦塗り機の畦形成体の側面図である。
【図１１】本発明のさらに他の実施の形態に係る畦塗り機の畦形成体の側面図である。
【符号の説明】
【００４３】
１    畦塗り機
３    盛土体
24    畦側面形成体
25    畦上面形成体
32    側面形成板部
34    側面側段差部
42    上面形成板部
44    上面側段差部
Ｘ    回転中心軸線
ａ    回転方向
ｂ    側面形成板部の回転方向略中央を通る直線
【図１】
2009118746.tif 000003
【図２】
2009118746.tif 000004
【図３】
2009118746.tif 000005
【図４】
2009118746.tif 000006
【図５】
2009118746.tif 000007
【図６】
2009118746.tif 000008
【図７】
2009118746.tif 000009
【図８】
2009118746.tif 000010
【図９】
2009118746.tif 000011
【図１０】
2009118746.tif 000012
【図１１】
2009118746.tif 000013